(57)【要約】【課題】ユーザの腕や足や脚や首（以下、腕等）や、ユーザの近傍に配置される物に装着される虫除け具であって、装着可能な物の太さの範囲が広く、着脱が簡易であり、環状の物にも装着でき、また、ユーザの腕等に装着される場合には、ユーザに対して良好な装着感を与えることができる虫除け具を提供する。【解決手段】本発明の虫除け具１は、揮発性の除虫剤を含有して、渦巻き状を呈し、変形可能である。虫除け具１は、一部７が残部に比べて幅広に形成されている。また虫除け具１は、渦巻きの一端８及び他端９が、丸みを帯びた形状を呈する。また虫除け具１の内側面４には、渦巻きの旋回方向に並ぶ複数の凹部５が形成されている。虫除け具は、ポリエチレン、ポリプロピレン、スチレンのいずれかに、除虫剤を含有させた材料から形成されている。除虫剤は、ユーカリオイル、ディート、或いはパラメタンである。【選択図】図２
2019010055.tif 000002
【特許請求の範囲】
【請求項１】
揮発性の除虫剤を含有して、渦巻き状を呈し、変形可能である虫除け具。
【請求項２】
一部が残部に比べて幅広に形成されている請求項１に記載の虫除け具。
【請求項３】
前記渦巻きの一端及び他端が、丸みを帯びた形状を呈する請求項１又は２に記載の虫除け具。
【請求項４】
前記虫除け具の内側面には、渦巻きの旋回方向に並ぶ複数の凹部が形成されている請求項１乃至３のいずれかに記載の虫除け具。
【請求項５】
前記内側面に沿う前記凹部の開口は、略楕円状又は略矩形状を呈する請求項４に記載の虫除け具。
【請求項６】
ポリエチレン、ポリプロピレン、スチレンのいずれかにに、前記除虫剤を含有させた材料から形成されている請求項１乃至５のいずれかに記載の虫除け具。
【請求項７】
前記除虫剤は、ユーカリオイル、ディート、パラメタンのいずれかである請求項１乃至６のいずれかに記載の虫除け具。
【請求項８】
一部又は全体が、０．５ｍｍ以上１０ｍｍ以下の厚さを有している請求項１乃至７のいずれかに記載の虫除け具。
【請求項９】
一部又は全体が、０．１ｃｍ以上８ｃｍ以下の幅を有している請求項１乃至８のいずれかに記載の虫除け具。
【発明の詳細な説明】
【技術分野】
【０００１】
本発明は、ユーザの腕や足や脚や首や、ユーザの近傍に配置される物に装着される虫除け具に関する。
【背景技術】
【０００２】
従来から虫除けのために種々の手段が使用されている。例えば蚊については、蚊取り線香や香取マットなどがよく知られている。しかし、これらのものは、火や電気を使用することで主に据え置かれるものであり、携帯性に劣るという欠点があった。
【０００３】
上記の欠点を解消可能なものとして、例えば特許文献１，２に、ユーザの腕に装着される虫除け具が開示されている。特許文献１，２の虫除け具は、リング状（腕輪状）を呈しており、その内側の空間に腕が挿入されることで、腕に装着される。この虫除け具は、エラストマー等から形成されており、これに含有される除虫成分を発散させることで、虫が近寄ることを防止する。
【先行技術文献】
【特許文献】
【０００４】
【特許文献１】特開２００８−１４３８１５号
【特許文献２】特開２００１−１０７０２２号
【発明の概要】
【発明が解決しようとする課題】
【０００５】
ところで、特許文献１，２の虫除け具は、エラストマー等の弾性材料から形成されることで、腕を通す内側の空間を変形可能なものではあるが、リング状を呈することで、その変形の程度は小さい。このため、特許文献１の虫除け具は、装着可能な腕の太さの範囲が狭い。また特許文献１，２の虫除け具は、変形の程度が小さいことで、腕が太い場合には腕を過剰に締め付けてユーザに不快感を与え、腕が細い場合には腕にフィットしないことで位置が安定しなくなる虞がある。さらに特許文献１，２の虫除け具は、リング状を呈することで、腕に装着する際には、指先から通す必要があり、腕から取り外す際には、指先から抜く必要がある。したがって特許文献１，２の虫除け具は、着脱が容易ではない。さらに特許文献１，２の虫除け具は、リング状を呈することで、端のない物体、つまり、環状の物体には装着できない。
【０００６】
本発明は、上記事項に鑑みなされたものであり、その目的は、ユーザの腕や足や脚や首（以下、腕等）や、ユーザの近傍に配置される物（カバンの持ち手やベビーカーや椅子のフレームなど）に装着される虫除け具であって、装着可能な物の太さの範囲が広く、着脱が簡易であり、環状の物にも装着でき、また、ユーザの腕等に装着される場合には、良好な装着感を与えることができる虫除け具を提供することである。
【課題を解決するための手段】
【０００７】
本発明の上記目的は、揮発性の除虫剤を含有して、渦巻き状を呈し、変形可能である虫除け具により達成される。
【０００８】
前記虫除け具の好ましい実施態様においては、虫除け具の一部が残部に比べて幅広に形成されている。
【０００９】
前記虫除け具のさらに好ましい実施態様においては、前記渦巻きの一端及び他端が、丸みを帯びた形状を呈する。
【００１０】
前記虫除け具のさらに好ましい実施態様においては、前記虫除け具の内側面には、渦巻きの旋回方向に並ぶ複数の凹部が形成されている。
【００１１】
前記虫除け具のさらに好ましい実施態様においては、前記内側面に沿う前記凹部の開口は、略楕円状又は略矩形状を呈する。
【００１２】
前記虫除け具のさらに好ましい実施態様においては、ポリエチレン、ポリプロピレン、スチレンのいずれかに、前記除虫剤を含有させた材料から形成されている。
【００１３】
前記虫除け具のさらに好ましい実施態様においては、前記除虫剤は、ユーカリオイル、ディート、パラメタンのいずれかである。
【００１４】
前記虫除け具のさらに好ましい実施態様においては、一部又は全体が、０．５ｍｍ以上１０ｍｍ以下の厚さを有している。
【００１５】
前記虫除け具のさらに好ましい実施態様においては、一部又は全体が、０．１ｃｍ以上８ｃｍ以下の幅を有している。
【発明の効果】
【００１６】
本発明の虫除け具によれば、渦巻き状を呈することで、内側の空間を初期状態の大きさから様々な大きさに拡大させることができる。このため、本発明の虫除け具は、初期状態の内側の空間の大きさに比べて、装着対象物が細い場合だけでなく、装着対象物が同程度に太い場合、さらには装着対象物が著しく太い場合でも、装着対象物の外周に巻き付けることができる。このため、本発明の虫除け具は、装着可能な物の太さの範囲が広い。
【００１７】
また本発明の虫除け具によれば、渦巻き状を呈することで、装着対象物の端（ユーザの指先など）から通すような手間を要せず所望の位置に巻き付けることができ、また、装着対象物の端（ユーザの指先など）から抜くような手間を要せず巻き付け位置から取り外すことができる。このため、本発明の虫除け具は、着脱が容易である。そして本発明の虫除け具は、上述のように装着対象物の端から通したり装着対象物の端から抜くことを要せず着脱可能なので、端のない物、つまり、環状の物（カバンに設けられる環状の持ち手や、ベビーカーや椅子に設けられる環状のフレームなど）にも装着できる。
【００１８】
そして本発明の虫除け具がユーザの腕等に装着される場合には、虫除け具は、渦巻き状を呈することで、内側の空間の大きさが腕等の太さに応じたものとなる。このため、本発明の虫除け具は、過剰に腕等を締め付けないとともに、腕等にフィットして位置が固定されたものとなる。以上のことから、本発明の虫除け具によれば、ユーザに対して良好な装着感を与えることができる。
【図面の簡単な説明】
【００１９】
【図１】本発明の実施形態に係る虫除け具を示す斜視図である。
【図２】本発明の実施形態に係る虫除け具をユーザの腕に装着した状態を示す斜視図である。
【図３】本発明の実施形態に係る虫除け具を示す平面図である。
【図４】本発明の実施形態に係る虫除け具を、図１のＡ方向に視た状態を示す側面図である。
【図５】本発明の実施形態に係る虫除け具を、図１のＢ方向に視た状態を示す側面図である。
【図６】（ａ）は、本発明の実施形態に係る虫除け具の初期の状態を示す平面図であり、（ｂ）は、本発明の実施形態に係る虫除け具を変形させた状態の一例を示す平面図である。
【図７】本発明の変形例に係る虫除け具を示す斜視図である。
【図８】本発明の実施形態に係る虫除け具を示す平面図である。
【図９】本発明の実施形態に係る虫除け具を、図１のＡ方向に視た状態を示す側面図である。
【発明を実施するための形態】
【００２０】
以下、図面を参照しながら本発明の実施形態について説明する。図１は、本発明の実施形態に係る虫除け具１を示す斜視図である。図２は、本発明の実施形態に係る虫除け具１をユーザの腕３に装着した状態を示す斜視図である。図３は、本発明の実施形態に係る虫除け具１を示す平面図である。図４は、本発明の実施形態に係る虫除け具１を、図１のＡ方向に視た状態を示す側面図である。図５は、本発明の実施形態に係る虫除け具１を、図１のＢ方向に視た状態を示す側面図である。
【００２１】
本実施形態の虫除け具１は、渦巻き状を呈しており、手等で外力を加えることで変形可能である。虫除け具１は、内側の空間２にユーザの腕３を挿入して腕３に巻き付けることで、腕３に装着される。虫除け具１が腕３に装着された状態では、虫除け具１から除虫剤が発散されることで、虫が腕３に近寄ることが防止される。
【００２２】
虫除け具１は，寸法等が適宜設定されることで、使用対象のユーザを、大人又は子供にすることが可能なものである。以下、大人用の虫除け具１及び子供用の虫除け具１の特徴を説明するが、共通する特徴については、大人用・子供用を特定せずに、まとめて説明を行う。
【００２３】
大人用の虫除け具１では、例えば、渦巻きの螺旋方向の長さが１００ｍｍ以上７００ｍｍ以下、望ましくは１５０ｍｍ以上６００ｍｍ以下とされ、初期状態（変形前の状態）における内側の空間２の幅Ｈ（図３）が３０ｍｍ以上２００ｍｍ以下、望ましくは３０ｍｍ以上７０ｍｍ以下とされる。上記のように虫除け具１の長さや空間２の幅Ｈが設定されることで、腕３の太さが一般的な大人は、腕３を虫除け具の内側の空間２に挿入して、腕３の周回りに虫除け具１を巻き付けることができる。また大人用の虫除け具１の重量は、例えば、２ｇ以上２０ｇ以下とされる。
【００２４】
子供用の虫除け具１では、例えば、渦巻きの螺旋方向の長さが１００ｍｍ以上７００ｍｍ以下、望ましくは１３０ｍｍ以上５２０ｍｍ以下とされ、初期状態（変形前の状態）における内側の空間２の幅Ｈ（図３）が３０ｍｍ以上２００ｍｍ以下、望ましくは３０ｍｍ以上５０ｍｍ以下とされる。上記のように虫除け具１の長さや空間２の幅Ｈが設定されることで、腕３の太さが一般的な子供は、腕３を虫除け具の内側の空間２に挿入して、腕３の周回りに虫除け具１を巻き付けることができる。また子供用の虫除け具１の重量は、例えば、１．５ｇ以上１０ｇ以下とされる。
【００２５】
虫除け具１の内側面４には、渦巻きの旋回方向に並ぶ複数の凹部５が形成されている。各凹部５は、内側面４に沿う開口が、略楕円状を呈している。各凹部５の深さは例えば０．１ｍｍ以上２０ｍｍ以下とされる。
【００２６】
上記の凹部５は、虫除け具１の肌触りを良好なものとすることや、除虫剤の発散量を虫の接近を防止可能な量にすること等を目的として形成される。大人用の虫除け具１では、例えば、虫除け具１の総表面積が３０００ｍｍ２以上１２０００ｍｍ２以下となるように、凹部５の数や寸法等が調整される。また子供用の虫除け具１では、例えば虫除け具１の総表面積が２０００ｍｍ２以上８０００ｍｍ２以下となるように、凹部５の数や寸法等が調整される。このようにすることで虫除け具１から発散される除虫剤の時間当たりの量を、虫の接近を防止可能な量にすることができる。なお図示例では、虫除け具１の全長に亘って凹部５が並ぶ例を示しているが、必ずしもこのようにする必要はなく、例えば虫除け具１の一部の範囲のみに凹部５が形成されてもよい。また虫除け具１の総表面積を大きくして除虫剤の発散量を増やすために、虫除け具１の外側面６にも凹部５が形成されてもよい。
【００２７】
また本実施形態の虫除け具１では、初期状態（変形前の状態）で最外周となる範囲（以下、最外周と略す）に、幅広部７が形成されている。幅広部７は、これ以外の部分（以下、残部）に比べて幅広に形成された部分、つまり、虫除け具１で最も幅が大きな部分である。幅広部７は、虫除け具１を変形させた際に虫除け具１に生じる復元力を高めるために形成される。また幅広部７が形成された最外周に腕３が触れても、ユーザが痛みを感じないように、最外周は、幅広部７に近づくにつれて、幅が徐々に拡大するテーパ状に形成されて、段差のないものとされている（図４、図５）。
【００２８】
また虫除け具１の一端８及び他端９がユーザの腕３に食い込んでも、ユーザが痛みを感じないように、虫除け具１の一端８及び他端９は、丸みを帯びた形状とされている。「丸みを帯びた形状」とは、少なくともユーザに接する内側面４が曲面であることを意味する。図示の例では、一端８及び他端９における内側面が径方向内側に凸となる曲面に形成され、また、一端８及び他端９における外側面が径方向外側に凸となる曲面に形成されている。またこれに加えて、一端８及び他端９における幅方向の両側面１０，１０が、幅方向外側に凸となる曲面とされてもよい。
【００２９】
本実施形態の虫除け具１は、樹脂に揮発性の除虫剤を混合した材料から形成されており、当該材料が弾性を有することで、外力の付加により変形可能である。
【００３０】
上記の除虫剤として、例えば、下記化学式（化１）で示されるシトロネラールを主成分とするユーカリオイルや、ディート（ＤＥＥＴ）や、パラメタンを使用できるが、上記の除虫剤として使用可能な材料は、これらの例に限定されない。
【００３１】
【化１】
2019010055.tif 000003
【００３２】
上記の樹脂として、例えば熱可塑性エラストマーを使用できる。この熱可塑性エラストマーは、オレフィン系（TPO）、スチレン系（TPS）、ウレタン系（TPU）、ポリエステル系（TPES）、ポリアミド系（TPA）等の1種もしくは2種以上が混合されたものであり、特に、オレフィン系（TPO）、スチレン系（TPS）および両者の混合物が望ましい。また上記の熱可塑性エラストマーとして、ポリエチレン、ポリプロピレン、スチレン、ABS、PBT等の硬質の熱可塑性樹脂、あるいは、可塑剤、パラフィン系オイル、等の柔軟材、或いは、シリコン類等を使用可能であり、ポリエチレン、ポリプロピレン、スチレンのいずれかを使用することが望ましい。
【００３３】
本実施形態の虫除け具１は、タンブラー等の混合機を用いて上記の樹脂と除虫剤とを混合して、この混合材料を射出成形すること等により形成され得る。
【００３４】
なお樹脂が上記の熱可塑性エラストマーであり、除虫剤が上記のユーカリオイルである場合には、熱可塑性エラストマーにおけるユーカリオイルの分散を良好なものとすべく、熱可塑性エラストマーに分散剤が添加されることが望ましい。この分散剤としては、ステアリン酸の金属石鹸、１２ヒドロキシ金属石鹸、モンタン酸金属石鹸等の各種石鹸類、エチレンビスアマイド等のアマイド系分散剤、あるいは、モノグリセライド等の多価アルコールと脂肪酸のエステル類が挙げられるが、特に１２ヒドロキシステアリン酸金属石鹸、モンタン酸石鹸、モンタン酸エステルが望ましい。
【００３５】
本実施形態の虫除け具１によれば、渦巻き状を呈することで、内側の空間を初期状態の大きさから様々な大きさに拡大させることができる（図６（ａ）は、虫除け具１の初期状態（変形前の状態）を示し、図６（ｂ）は、内側の空間２が初期状態の２倍程度に大きくなるように虫除け具１を変形させた状態を示す）。このため、本発明の虫除け具は、初期状態の内側の空間２の大きさに比べて、腕３が細い場合だけでなく、腕３が同程度に太い場合、さらには腕３が著しく太い場合でも、腕３の外周に巻き付けることができる。このため、本実施形態の虫除け具１は、装着可能な腕３の太さの範囲が広い。
【００３６】
また本実施形態の虫除け具１によれば、渦巻き状を呈することで、ユーザの指先から通すような手間を要せず腕３の所望の位置に巻き付けることができ、また、ユーザの指先から抜くような手間を要せず腕３の巻き付け位置から取り外すことができる。したがって、虫除け具１は、着脱が容易である。
【００３７】
また本実施形態の虫除け具１は、渦巻き状を呈することで、腕３に装着された状態で、内側の空間２の大きさが腕３の太さに応じたものとなる。このため、虫除け具１は、過剰に腕３を締め付けないとともに、腕３にフィットして位置が固定されたものとなる。したがって、本実施形態の虫除け具１によれば、ユーザに対して良好な装着感を与えることができる。
【００３８】
また本実施形態の虫除け具１は、幅広部７が形成されることで、腕３への装着のために内側の空間２が大きくなるよう変形された後、空間２が小さくなる復元を生じる。このため、虫除け具１は確実に腕３に装着でき、腕３から虫除け具１が脱落することが防止される。なお虫除け具１に適度な復元力を生じさせて、虫除け具１の腕３への装着を確実なものとし、且つ、虫除け具１で腕３を過剰に締め付けないために、幅広部７の厚さを０．５ｍｍ以上１０ｍｍ以下とすることや、幅広部７のの幅を０．１ｃｍ以上８ｃｍ以下とすることが望ましく、また、幅広部７の厚さを２ｍｍ以上１０ｍｍ以下とすることや、幅広部７のの幅を０．５ｃｍ以上２ｃｍ以下とすることが、より望ましい。また幅広部７以外の残部の厚さや幅を小さくすれば、虫除け具１は小さな力で変形可能なものとなるので、虫除け具１を腕３に装着することを容易に行える
【００３９】
また本実施形態の虫除け具１によれば、幅広部７の形成された最外周が、幅が徐々に拡大するテーパ状に形成されて、段差のないものとされているため、最外周がユーザの腕に触れることによってユーザが痛みを感じない。
【００４０】
また本実施形態の虫除け具１は、凹部５が形成されることで、総表面積が大きなものとなる。これにより、虫除け具１から単位時間当たりに発散される除虫剤の量が、虫の接近を防止する上で十分な量になる。このため、虫が近寄ることを確実に防止できる。
【００４１】
また本実施形態の虫除け具１は、凹部５が内側面４に形成されることで、内側面４がユーザの腕３に完全に密着しない（つまり、凹部５の位置では、ユーザの腕３が虫除け具１に触れない）。このため、虫除け具１は、肌触りが良く、高い通気性を有する。この点からも、装着感を良好にできる。
【００４２】
また本実施形態の虫除け具１は、一端８及び他端９が丸みを帯びた形状とされることで、一端８及び他端９がユーザの腕３に食い込んでも、ユーザが痛みを感じない。
【００４３】
なお本発明は、上記実施形態に示すものに限定されず、種々改変することができる。
【００４４】
例えば、幅広部７の形状は実施形態に示すものに限定されない。例えば、虫除け具１には、渦巻きの旋回方向に所定長さ延びる幅広部７が形成されてもよい。また、幅広部７の形成位置も虫除け具１の最外周に限定されず、虫除け具１の内周側に幅広部７が形成されてもよい。以上のようにする場合でも、上記実施形態と同様に幅広部７の厚さや幅が設定されることで、虫除け具１の腕３への装着を確実なものにすることと、虫除け具１で腕３を過剰に締め付けないこととを両立できる。
【００４５】
なお、本発明の虫除け具は、図７〜図９に示す変形例の虫除け具２０のように、全長に亘って幅が一定とされることで、幅広部７を備えないものとされてもよい（図７は、本発明の変形例の虫除け具２０を示す斜視図である。図８は、本発明の変形例に係る虫除け具２０を示す平面図である。図９は、本発明の変形例に係る虫除け具２０を、図１のＡ方向に視た状態を示す側面図である）。図７〜図９に示すように虫除け具が変形される場合には、虫除け具の全体の厚さを０．５ｍｍ以上１０ｍｍ以下とすることや、虫除け具の全体の幅を０．１ｃｍ以上８ｃｍ以下とすることが望ましく、また、虫除け具の全体の厚さを２ｍｍ以上１０ｍｍ以下とすることや、虫除け具７の全体の幅を０．５ｃｍ以上２ｃｍ以下とすることがより望ましい。このように虫除け具の厚さや幅が調整されることで、虫除け具１の腕３への装着を確実なものにすることと、虫除け具１で腕３を過剰に締め付けないこととを両立できる。
【００４６】
また上述した実施形態では、本発明の虫除け具をユーザの腕３に装着する例を示したが、装着対象物は腕３に限定されない。すなわち、本発明の虫除け具は、寸法（渦巻きの螺旋方向の長さや、内側の空間２の幅Ｈなど）が適宜調整されることで、ユーザの足や脚や首等の腕以外の部分や、ユーザの近傍に配置される物（カバンの持ち手やベビーカーや椅子のフレームなど）に装着可能である。そしてこのように装着対象物が腕以外の物とされる場合でも、本発明の虫除け具が、渦巻き状を呈して、内側の空間を初期状態の大きさから様々な大きさに拡大できることで、初期状態の内側の空間の大きさに比べて、装着対象物が細い場合だけでなく、装着対象物が同程度に太い場合、さらには装着対象物が著しく太い場合でも、本発明の虫除け具を、装着対象物の外周に巻き付けることができる。そして本発明の虫除け具は、装着対象物の端から通したり装着対象物の端から抜くことを要せず着脱可能なので、着脱が容易であるとともに、端のない物、つまり、環状の物（カバンに設けられる環状の持ち手や、ベビーカーや椅子に設けられる環状のフレームなど）にも装着できる。
【符号の説明】
【００４７】
１，２０  虫除け具、
２  虫除け具の内側の空間、
３  腕、
４  虫除け具の内側面、
５  凹部、
７  幅広部（一部）、
８  虫除け具の一端、
９  虫除け具の他端
【図１】
2019010055.tif 000004
【図２】
2019010055.tif 000005
【図３】
2019010055.tif 000006
【図４】
2019010055.tif 000007
【図５】
2019010055.tif 000008
【図６】
2019010055.tif 000009
【図７】
2019010055.tif 000010
【図８】
2019010055.tif 000011
【図９】
2019010055.tif 000012